(57)【要約】【課題】斜めに傾いた斜面上を掃除しようと吸込具本体を斜面に移動させると吸込具本体の側面が斜面に衝突し斜面の掃除がし難い。【解決手段】吸込具本体９の収納部に着脱可能に接続され収納される分離吸込具１０を備え、分離吸込具１０に上下方向及び回転方向に回動自在な接続管（回動連結手段）８、接続管保持部（回動連結手段）２７を設け、分離吸込具１０が吸込具本体９に収納された状態で接続管８の回転方向への自由な回動を規制する突起部Ａ（保持部）３２、凹部（保持部）３３を有する構成としたので、斜面を掃除する前に接続管８を斜面に近い角度まで回転させて突起部Ａ３２と凹部３３を嵌合させて角度を固定させてから斜面に吸込具本体９を持っていくことで、吸込具本体９の側面が斜面に衝突することを回避でき、使用性の向上した電気掃除機用吸込具を提供できる。【選択図】図２
2008194357.tif 000002
【特許請求の範囲】
【請求項１】
吸込口と前記吸込口に連通する連通口と収納部とを有する吸込具本体と、前記吸込具本体の収納部に着脱可能に接続され収納される分離吸込具とを備え、前記分離吸込具の吸込具本体への装着時に前記分離吸込具を吸込具本体の連通口と連通させ、前記分離吸込具に上下方向及び回転方向に回動自在な回動連結手段を設け、前記分離吸込具を吸込具本体に収納したときに、前記回動連結手段を所定角度回転させた状態で保持およびその解除が可能な１個または複数個の保持部を有する構成とした電気掃除機用吸込具。
【請求項２】
回動連結手段の回転方向への回動をロックする回転方向回動係止手段を備え、分離吸込具が吸込具本体から離脱した状態において、前記回転方向回動係止手段により、回動連結手段の回転方向への回動をロックすると共に、前記分離吸込具が吸込具本体に収納された状態においては、前記回転方向回動係止手段による前記回動連結手段の回転方向への回動のロックを解除する構成とした請求項１に記載の電気掃除機用吸込具。
【請求項３】
保持部を、回転方向回動係止手段の一部に設けて、分離吸込具を吸込具本体に収納したときに、回動連結手段を所定角度回転させた状態で保持およびその解除が可能な構成とした請求項２記載の電気掃除機用吸込具。
【請求項４】
保持部を、突起により構成すると共に、前記突起をバネで保持させた請求項１〜３のいずれか１項に記載の電気掃除機用吸込具。
【請求項５】
分離吸込具は、先端を開口させた先端吸気口及び下面を開口させた下面吸気口を形成した吸気ヘッドを有し、前記分離吸込具の吸込具本体への装着時には、前記下面吸気口が収納部の底面により塞がれ、分離吸込具の吸込具本体からの離脱時には、少なくとも下面吸気口が開放される構成とした請求項１〜４のいずれか１項に記載の電気掃除機用吸込具。
【請求項６】
掃除機本体が内蔵する吸引風を発する電動送風機に、請求項１〜５のいずれか１項に記載の電気掃除機用吸込具を連通させた電気掃除機。
【発明の詳細な説明】
【技術分野】
【０００１】
本発明は、塵埃を吸引する電気掃除機用吸込具およびこれを用いた電気掃除機に関するものである。
【背景技術】
【０００２】
従来この種の吸込具及び電気掃除機は、掃除機本体からの延長管の先端に上下動自在な連結部を介してブラシノズルを取り付け、このブラシノズルを吸込具本体の上面に設けた連結口に回動かつ着脱自在に接続した構成となっている。そして吸込具本体では掃除しにくい狭い場所を掃除する際には吸込具本体から下方開口の吸込口を有し、吸込口の周囲にブラシを設けたブラシノズルを離脱させ、このブラシノズルで掃除を行うようになっていた。また広い場所を掃除するときにはブラシノズルを吸込具本体に装着して掃除を行うようになっており、この場合吸込具本体はブラシノズルが吸込具本体に対して回動自在であって、延長管に対して上下動自在としてあるため、吸込具本体を従来と同様上下、左右に回動させて掃除をすることができる（例えば、特許文献１参照）。
【特許文献１】特許第３４５７６３９号公報
【発明の開示】
【発明が解決しようとする課題】
【０００３】
しかしながら上記従来の構成では、掃除方向に斜めに傾いた斜面上を掃除しようと吸込具本体を斜面に移動させると、吸気ヘッドの側面が斜面に衝突して掃除し難く、斜面がフローリングなどの傷つき易い斜面のときは、傷を付け易いという課題があった。また、吸込具本体を持ち上げたときに、吸込具本体の重量のアンバランスにより傾き、そのまま掃除面に下ろすと吸気ヘッドの側面が掃除面に衝突して掃除し難く、掃除面がフローリングなどの傷つき易い掃除面のときは、傷を付け易いという課題があった。
【０００４】
本発明は上記従来の課題を解決するもので、斜面などの掃除面を掃除し易い電気掃除機を提供することを目的としている。
【課題を解決するための手段】
【０００５】
本発明は上記目的を達成するために、吸込口と前記吸込口に連通する連通口と収納部とを有する吸込具本体と、前記吸込具本体の収納部に着脱可能に接続され収納される分離吸込具とを備え、前記分離吸込具の吸込具本体への装着時に前記分離吸込具を吸込具本体の連通口と連通させ、前記分離吸込具に上下方向及び回転方向に回動自在な回動連結手段を設け、前記分離吸込具を吸込具本体に収納したときに、前記回動連結手段を所定角度回転させた状態で保持およびその解除が可能な１個または複数個の保持部を有する構成としたもので、掃除方向に斜めに傾いた斜面上を掃除しようと前記吸込具本体を斜面に移動させたとき吸気ヘッドの側面が斜面に衝突することがなく、また前記吸込具本体を持ち上げたときに前記吸気ヘッドの重量のアンバランスにより傾くこともなく、そのまま掃除面に下ろしても前記吸気ヘッドの側面が掃除面に衝突することもなく掃除できるようになり使用性の向上した電気掃除機を提供できる。
【発明の効果】
【０００６】
本発明によれば、斜面などの掃除面を掃除し易い電気掃除機を提供できる。
【発明を実施するための最良の形態】
【０００７】
第１の発明は、吸込口と前記吸込口に連通する連通口と収納部とを有する吸込具本体と、前記吸込具本体の収納部に着脱可能に接続され収納される分離吸込具とを備え、前記分離吸込具の吸込具本体への装着時に前記分離吸込具を吸込具本体の連通口と連通させ、前記分離吸込具に上下方向及び回転方向に回動自在な回動連結手段を設け、前記分離吸込具を吸込具本体に収納したときに、前記回動連結手段を所定角度回転させた状態で保持およびその解除が可能な１個または複数個の保持部を有する構成としたもので、掃除方向に斜めに傾いた斜面上を掃除しようと前記吸込具本体を斜面に移動させたとき吸気ヘッドの側面が斜面に衝突することがなく、また前記吸込具本体を持ち上げたときに前記吸気ヘッドの重量のアンバランスにより傾くこともなく、そのまま掃除面に下ろしても前記吸気ヘッドの側面が掃除面に衝突することもなく掃除できるようになり、使用性の向上した電気掃除機用吸込具を提供できる。
【０００８】
第２の発明は、第１の発明の回動連結手段の回転方向への回動をロックする回転方向回動係止手段を備え、分離吸込具が吸込具本体から離脱した状態において、前記回転方向回動係止手段により、回動連結手段の回転方向への回動をロックすると共に、前記分離吸込具が吸込具本体に収納された状態においては、前記回転方向回動係止手段による前記回動連結手段の回転方向への回動のロックを解除する構成としたもので、第１の発明の効果に加えて、分離吸込具が吸込具本体から離脱したときは、分離吸込具の回転方向への回動をロックして確実に固定できると共に、分離吸込具を吸込具本体に装着したときは、前記ロックを確実に解除でき、さらに使用性の向上した電気掃除機用吸込具を提供できる。
【０００９】
第３の発明は、第２の発明の保持部を、回転方向回動係止手段の一部に設けて、分離吸込具を吸込具本体に収納したときに、回動連結手段を所定角度回転させた状態で保持およびその解除が可能な構成としたもので、第２の発明の効果に加えて、回動ロック機能に係止部の機能を兼用させることできるものである。
【００１０】
第４の発明は、第１〜第３のいずれか１つの発明の保持部を、突起により構成すると共に、前記突起をバネで保持させるもので、係止部を乗り越えるときの力を小さくすることができるため、回動がスムーズになり、また突起の磨耗を小さくすることもできる。
【００１１】
第５の発明は、第１〜第４のいずれか１つの発明の分離吸込具は、先端を開口させた先端吸気口及び下面を開口させた下面吸気口を形成した吸気ヘッドを有し、前記分離吸込具の吸込具本体への装着時には、前記下面吸気口が収納部の底面により塞がれ、分離吸込具の吸込具本体からの離脱時には、少なくとも下面吸気口が開放される構成としたもので、分離吸込具の装着時および離脱時に応じた適正な吸気経路が確保できるものである。
【００１２】
第６の発明は、掃除機本体が内蔵する吸引風を発する電動送風機に、第１〜第５のいずれか１つの発明の電気掃除機用吸込具を連通させる電気掃除機としたもので、掃除可能な範囲が広く、操作性の優れた電気掃除機を提供できるようになる。
【００１３】
以下、本発明の実施の形態について、図面を参照しながら説明する。なお、この実施の形態によって本発明が限定されるものではない。
【００１４】
（実施の形態１）
以下、本発明の第１の実施の形態を、図１〜図７を用いて説明する。
【００１５】
本実施の形態は、床移動型の電気掃除機１及びその塵埃吸込口となる吸込具本体５について示すものである。この電気掃除機１は、先端に吸込具本体５を着脱可能に装着した延長管４は手元ハンドル３に連結され、手元ハンドル３から延出するホース７はホース継ぎ手６によって掃除機本体２に連結されている。
【００１６】
吸込具本体５は延長管４に接続管８を介して接続され、吸込具本体９の略中央、後方部に接続管８を上下回動自在に保持した分離吸込具１０が吸込具本体９に着脱自在に装着して構成され、分離吸込具１０が内蔵される収納部５を構成している。
【００１７】
分離吸込具１０には、前方開口とする先端吸気口１１と下方開口とする下面吸気口１２が設けられている。一方、吸込具本体９には、前方部に左右に伸びて下面に開口された開口部１３が設けられている。開口部１３に臨み回転自在に設けられた回転ブラシ１４は、モーターやタービンなどの駆動源１５により回転駆動する。回転ブラシ１４が収められた空間部は吸気室１６として設けられ、吸気室１６の略中央部から分離吸込具１０に連通する吸気口１７が設けられている。分離吸込具１０が収納部５に収納されることで、吸気口１７と先端吸気口１１は連通されることになる。また、分離吸込具１０が収納部５に収納されたとき、分離吸込具１０は収納部５に保持され、かつ回動ロック体（回転方向回動係止手段）２９が分離吸込具１０内に押し込まれるため回動ロックリブ（回転方向回動係止手段）３０と接触せず左右に回動自在となっている。一方、分離吸込具１０が収納部５に収納されていないとき、左右に回動させようとしても回動ロック体２９と回動ロックリブ３０が接触するため回動できない構成となっている。
【００１８】
本実施の形態において、回転ブラシ１４は電動機にて回転駆動する構成となっている。駆動源１５の駆動力はベルト１９により回転ブラシ１４に伝達する構成となっている。また、駆動源１５は掃除機本体２から供給された電源を受けるために制御基盤２０と接続されている。制御基盤２０には、掃除機本体２からの電源を受ける端子２１も接続されている。制御基盤２０は、吸込具本体５が掃除面から離れたときに回転ブラシ１４の回転を停止させる離床検知部２８と、電動機である駆動源１５の回転が拘束されてしまったときに焼きつくことを防止するための電源遮断部２２を有している。
【００１９】
吸込具本体９の後方略中央部は、凹状の切欠き２３が設けられており、切欠き２３を挟み込み様に、吸込具本体９下面から突出するローラーなどで構成された走行機構２４が備えられている。
【００２０】
分離吸込具１０の後方には上下に回動する接続管（回動連結手段）８があり、接続管８の回動する軸を第一軸２５とする。第一軸２５を上下から挟持して、第一軸２５と直交する回動軸、第二軸２６を有する接続管保持部（回動連結手段）２７が構成されている。接続管保持部２７には突起部Ａ（保持部）３２、カバー体３１には凹部（保持部）３３が複数個設けられている。
【００２１】
上記構成における動作は以下の通りである。
【００２２】
吸込具本体９は、分離吸込具１０をセットした状態で掃除機本体２に延長管４、ホース７を介して接続されることで通常の掃除機と同じように使用することができる。掃除機本体２から供給される電源は吸込具本体９を介して端子２１、制御回路２０を通じて、電動機である駆動源１５に電源が伝達する。駆動源１５が作動することで動力はベルト１９を介して回転ブラシ１４に伝達される。回転ブラシ１４で集塵された塵埃は、掃除機本体２により発生した負圧により、開口部１３から吸気室１６に集められ、吸気口１７、先端吸気口１１を通じて、接続管８、延長管４、ホース７に至り掃除機本体２に集塵される。
【００２３】
従来水平である掃除面を掃除した後、掃除方向に斜めに傾いた斜面上を掃除しようとし手元ハンドル３を握って持ち上げて移動させた際、図７（ａ）のように吸込具本体９の側面が斜面に衝突し掃除しにくいという問題があったが、本発明では斜面を掃除する前に接続管８を斜面に近い角度まで回転させて突起部Ａ３２と凹部３３を嵌合させて角度を固定させてから斜面に吸込具本体９を持っていくことで、図７（ｂ）のように側面が斜面に衝突することを回避できる。また、従来水平である掃除面を掃除した後、吸込具本体９を手元ハンドル３を握って持ち上げたとき、図７（ｃ）のように吸込具本体９内の駆動源１５の重量による重量のアンバランスで吸込具本体９が駆動源１５側に傾きそのまま掃除面に下ろすと吸込具本体９の側面が掃除面に衝突し掃除しにくいという問題があったが、本発明では吸込具本体９が水平の位置で突起部Ａ３２と凹部３３を嵌合され固定されているため図７（ｄ）のように吸込具本体９が傾かずそのまま掃除面に下ろしても吸込具本体９の側面が掃除面に衝突することなく掃除できる。
【００２４】
なお、本実施の形態では、凹部３３を複数個設けたが、１個であってもそれに対応する斜面もしくは水平な掃除面において上記効果を有するものである。
【００２５】
（実施の形態２）
以下、本発明の第２の実施の形態を図８を用いて説明する。なお、上記実施の形態１と同一部分については同一符号を付してその説明を省略する。
【００２６】
接続管８が左右方向に回動したときに回動ロックリブ３０と回動ロック体２９が接触するように突起部Ｂ３４が回動ロックリブ３０に複数個設けられている。
【００２７】
上記構成における動作は以下の通りである。
【００２８】
従来水平である掃除面を掃除した後、掃除方向に斜めに傾いた斜面上を掃除しようとし手元ハンドル３を握って持ち上げて移動させた際、図７（ａ）のように吸込具本体９の側面が斜面に衝突し掃除しにくいという問題があったが、本発明では斜面を掃除する前に接続管８を斜面に近い角度まで回転させて突起部Ｂ３４と回動ロック体２９を嵌合させて角度を固定させてから斜面に吸込具本体９を持っていくことで図７（ｂ）のように側面が斜面に衝突することを回避できる。また、従来水平である掃除面を掃除した後、吸込具本体９を手元ハンドル３を握って持ち上げたとき、図７（ｃ）のように吸込具本体９内の駆動源１５の重量による重量のアンバランスで吸込具本体９が駆動源１５側に傾きそのまま掃除面に下ろすと吸気ヘッド９の側面が掃除面に衝突し掃除しにくいという問題があったが、本発明では吸込具本体９が水平の位置で突起部Ｂ３４と回動ロック体２９が接触しているため図７（ｄ）のように吸込具本体９が傾かずそのまま掃除面に下ろしても吸込具本体９の側面が掃除面に衝突することなく掃除できる。
【００２９】
なお、本実施の形態では、突起部Ｂ３４を複数個設けたが、１個であってもそれに対応する斜面もしくは水平な掃除面において上記効果を有するものである。
【００３０】
また、既存の機能である回動ロック機能に係止部の機能を兼用させることで新たな部品を追加することなく安価に係止部を設けることができる。
【００３１】
（実施の形態３）
以下、本発明の第３の実施の形態を図９を用いて説明する。なお、上記実施の形態１および２と同一部分については同一符号を付してその説明を省略する。
【００３２】
突起部Ａ３２がバネ３４によって接続管保持部２７の内部に出没自在に保持されている。
【００３３】
上記構成における動作は以下の通りである。従来水平である掃除面を掃除した後、掃除方向に斜めに傾いた斜面上を掃除しようとし手元ハンドル３を握って持ち上げて移動させた際、図７（ａ）のように吸込具本体９の側面が斜面に衝突し掃除しにくいという問題があったが、本発明では斜面を掃除する前に接続管８を斜面に近い角度まで回転させて突起部Ａ３２と凹部３３を嵌合させて角度を固定させてから斜面に吸込具本体９を持っていくことで図７（ｂ）のように側面が斜面に衝突することを回避できる。また、従来水平である掃除面を掃除した後、吸込具本体９を手元ハンドル３を握って持ち上げたとき、図７（ｃ）のように吸込具本体９内の駆動源１５の重量による重量のアンバランスで吸込具本体９が駆動源１５側に傾きそのまま掃除面に下ろすと吸込具本体９の側面が掃除面に衝突し掃除しにくいという問題があったが、本発明では吸込具本体９が水平の位置で突起部Ａ３２と凹部３３を嵌合され固定されているため図７（ｄ）のように吸込具本体９が傾かずそのまま掃除面に下ろしても吸込具本体９の側面が掃除面に衝突することなく掃除できる。
【００３４】
なお、本実施の形態では、凹部３３を複数個設けたが、１個であってもそれに対応する斜面もしくは水平な掃除面において上記効果を有するものである。
【００３５】
また、バネ３４で突起部Ａ３２を保持させることによって、凹部３３を乗り越えるときの力を小さくすることができるため、回動がスムーズになり、また回動部の磨耗を小さくすることもできる。
【産業上の利用可能性】
【００３６】
以上のように本発明によれば、掃除方向に斜めに傾いた斜面上を掃除しようと前記吸込具本体を斜面に移動させたとき前記吸気ヘッドの側面が斜面に衝突することがなく、また前記吸込具本体を持ち上げたときに前記吸気ヘッドの重量のアンバランスにより傾かず、そのまま掃除面に下ろしても前記吸気ヘッドの側面が掃除面に衝突することもなく掃除できるようになり使用性の向上した電気掃除機を提供できる。
【図面の簡単な説明】
【００３７】
【図１】本発明の実施の形態１を示す電気掃除機用吸込具を装着した電気掃除機の斜視図
【図２】同電気掃除機用吸込具の上面図
【図３】同電気掃除機用吸込具の分離吸込具を外した上面図
【図４】同電気掃除機用吸込具の分離吸込具を外した下面図
【図５】同電気掃除機用吸込具の分離吸込具の側面図
【図６】同電気掃除機用吸込具の分離吸込具の要部断面図
【図７】（ａ）〜（ｄ）同電気掃除機用吸込具の掃除状態を示す正面図
【図８】（ａ）〜（ｂ）本発明の実施の形態２を示す電気掃除機用吸込具の分離吸込具の要部断面図
【図９】本発明の実施の形態３を示す電気掃除機用吸込具の分離吸込具の上面図
【符号の説明】
【００３８】
１    電気掃除機
８    接続管（回動連結手段）
９    吸込具本体
１０  分離吸込具
２７  接続管保持部（回動連結手段）
２９  回動ロック体（回転方向回動係止手段）
３０  回動ロックリブ（回転方向回動係止手段）
３２  突起部Ａ（保持部）
３３  凹部（保持部）
【図１】
2008194357.tif 000003
【図２】
2008194357.tif 000004
【図３】
2008194357.tif 000005
【図４】
2008194357.tif 000006
【図５】
2008194357.tif 000007
【図６】
2008194357.tif 000008
【図７】
2008194357.tif 000009
【図８】
2008194357.tif 000010
【図９】
2008194357.tif 000011